(57)【特許請求の範囲】
【請求項１】
第１シグナリング無線ベアラ及び第２シグナリング無線ベアラによってサービスネットワークと通信する移動体通信装置を用いてＭＤＴログを報告する方法であって、前記方法は、
前記移動体通信装置によって、前記サービスネットワークから前記第１シグナリング無線ベアラ上の要求メッセージを受信するステップ、
前記移動体通信装置によって、前記要求メッセージが前記ＭＤＴログを要求するかどうかを判定するステップ、
前記要求メッセージが前記ＭＤＴログを要求した時、前記移動体通信装置によって、前記第２シグナリング無線ベアラ上の前記ＭＤＴログを含む応答メッセージを前記サービスネットワークに送信するステップであって、前記移動体通信装置によって送信された前記応答メッセージは、前記要求メッセージが前記ＭＤＴログ以外の他の情報を更に要求した時、他の情報を更に含む、ステップ、及び
前記要求メッセージが前記ＭＤＴログを要求しない時、前記移動体通信装置によって、前記第１シグナリング無線ベアラ上の前記ＭＤＴログを含まない前記応答メッセージを前記サービスネットワークに送信するステップを含む方法。
【請求項２】
前記他の情報は、ＲＡＣＨ報告及びＲＬＦ報告の少なくとも１つを含む請求項１に記載の方法。
【請求項３】
前記サービスネットワークは、ＬＴＥベースのネットワークである請求項１又は２に記載の方法。
【請求項４】
前記第１シグナリング無線ベアラは、ＳＲＢ１であり、前記第２シグナリング無線ベアラは、ＳＲＢ２である請求項３に記載の方法。
【請求項５】
第１シグナリング無線ベアラ及び第２シグナリング無線ベアラによってサービスネットワークにより通信する移動体通信装置からＭＤＴログを受信する方法であって、前記方法は、
前記サービスネットワークから前記移動体通信装置へ前記第１シグナリング無線ベアラ上の要求メッセージを送信するステップ、
前記要求メッセージが前記ＭＤＴログを要求するかどうかの前記移動体通信装置による判定に従うステップ、
前記要求メッセージが前記ＭＤＴログを要求した時、前記サービスネットワークへの前記第２シグナリング無線ベアラ上の前記ＭＤＴログを含む応答メッセージを前記移動体通信装置から受信するステップであって、前記移動体通信装置によって送信された前記応答メッセージは、前記要求メッセージが前記ＭＤＴログ以外の他の情報を更に要求した時、他の情報を更に含む、ステップ、及び
前記要求メッセージが前記ＭＤＴログを要求しない時、前記サービスネットワークへの前記第１シグナリング無線ベアラ上の前記ＭＤＴログを含まない前記応答メッセージを前記移動体通信装置から受信するステップを含む方法。
【請求項６】
前記要求メッセージは、前記ＳＲＢ２に送信される請求項５に記載の方法。
【請求項７】
前記要求メッセージは、前記ＳＲＢ１に送信される請求項５に記載の方法。
【請求項８】
前記他の情報は、ＲＡＣＨ報告及びＲＬＦ報告の少なくとも１つを含む請求項５に記載の方法。
【請求項９】
前記サービスネットワークは、ＬＴＥベースのネットワークである請求項５に記載の方法。
【請求項１０】
第１シグナリング無線ベアラ及び第２シグナリング無線ベアラによってサービスネットワークと通信可能な移動体通信装置であって、
前記移動体通信装置は、
前記サービスネットワークから前記第１シグナリング無線ベアラ上の要求メッセージを受信し、
前記要求メッセージが前記ＭＤＴログを要求するかどうかを判定し、
前記要求メッセージが前記ＭＤＴログを要求した時、前記第２シグナリング無線ベアラ上の前記ＭＤＴログを含む応答メッセージを前記サービスネットワークに送信し、前記応答メッセージは、前記要求メッセージが前記ＭＤＴログ以外の他の情報を更に要求した時、他の情報を更に含んでおり、
前記要求メッセージが前記ＭＤＴログを要求しない時、前記第１シグナリング無線ベアラ上の前記ＭＤＴログを含まない前記応答メッセージを前記サービスネットワークに送信する
ように構成される移動体通信装置。
【請求項１１】
第１シグナリング無線ベアラ及び第２シグナリング無線ベアラによって移動体通信装置と通信可能なサービスネットワークであって、
前記サービスネットワークは、
前記移動体通信装置へ前記第１シグナリング無線ベアラ上の要求メッセージを送信し、
前記要求メッセージが前記ＭＤＴログを要求するかどうかの前記移動体通信装置による判定に従い、
前記要求メッセージが前記ＭＤＴログを要求した時、前記第２シグナリング無線ベアラ上の前記ＭＤＴログを含む応答メッセージを前記移動体通信装置から受信し、前記移動体通信装置から受信された前記応答メッセージは、前記要求メッセージが前記ＭＤＴログ以外の他の情報を更に要求した時、他の情報を更に含んでおり、
前記要求メッセージが前記ＭＤＴログを要求しない時、前記サービスネットワークへの前記第１シグナリング無線ベアラ上の前記ＭＤＴログを含まない前記応答メッセージを前記移動体通信装置から受信する
ように構成されるサービスネットワーク。
【発明の詳細な説明】
【技術分野】
【０００１】
本発明は、ＭＤＴ（Ｍｉｎｉｍｉｚａｔｉｏｎ  ｏｆ  Ｄｒｉｖｅ  Ｔｅｓｔ）に関し、特に、ＭＤＴログの報告（ｒｅｐｏｒｔｉｎｇ）方法及び移動体通信装置に関するものである。
【背景技術】
【０００２】
一般的な移動体通信環境において、ユーザー端末（ＵＥ）は、音声及び／またはデータ信号をサービスネットワークのセルラ基地局を介して１つ以上のサービスネットワークと通信させ得る。ユーザー端末とサービスネットワーク間の無線通信は、例えば、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ；ＷＣＤＭＡ）技術、符号分割多元接続２０００（Ｃｏｄｅ  Ｄｉｖｉｓｉｏｎ  Ｍｕｌｔｉｐｌｅ  Ａｃｃｅｓｓ  ２０００；ＣＤＭＡ  ２０００）技術、時分割同期符号多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ；ＴＤ−ＳＣＤＭＡ）技術、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ；ＷｉＭＡＸ）技術、及びロングタームエボリューション（Ｌｏｎｇ  Ｔｅｒｍ  Ｅｖｏｌｕｔｉｏｎ；ＬＴＥ）技術など種々の無線通信技術に準拠し得る。
【０００３】
ＭＤＴは、ユーザー側端末装置（ＵＥ）によって実行される測定収集及びデータロギングアクティビティであり、オペレーターが通信ネットワークで実行しなければならない手動ドライブテスト（ｍａｎｕａｌ  ｄｒｉｖｅ  ｔｅｓｔｉｎｇ）を代替する。ＭＤＴは、実際の位置ごとにネットワーク性能を測定し、高速パケットアクセス（Ｈｉｇｈ  Ｓｐｅｅｄ  Ｐａｃｋｅｔ  Ａｃｃｅｓｓ；ＨＳＰＡ）及びＬＴＥシステムなどの種々の通信システムに適用できる。
【０００４】
ＬＴＥシステムでは、ＳＲＢ０、ＳＲＢ１、及びＳＲＢ２を含むシグナリング無線ベアラ（ｓｉｇｎａｌｉｎｇ  ｒａｄｉｏ  ｂｅａｒｅｒｓ；ＳＲＢ）は、無線アクセスネットワークと移動体通信装置間の信号メッセージを交換するように規定されている。現在、ＭＤＴログ検索（ｒｅｔｒｉｅｖａｌ）は、ＵＥＩｎｆｏｒｍａｔｉｏｎ手順（ｐｒｏｃｅｄｕｒｅ）によってＳＲＢ２上で行われている。しかしながら、ＵＥＩｎｆｏｒｍａｔｉｏｎ手順は、ＳＲＢ１で行われており、即ち、ＵＥＩｎｆｏｒｍａｔｉｏｎＲｅｑｕｅｓｔメッセージ及びＵＥＩｎｆｏｒｍａｔｉｏｎＲｅｓｐｏｎｓｅメッセージの両方は、ＳＲＢ１に送信される。よって、どのようにＵＥＩｎｆｏｒｍａｔｉｏｎ手順を用いて、適当なシグナリング無線ベアラを選択し、ＭＤＴログに送信するのかが明確に定義されない。ＵＥＩｎｆｏｒｍａｔｉｏｎ手順を用いてＭＤＴログを適当に選択されたシグナリング無線ベアラに送信することができる方法及び移動体通信装置が必要とされる。
【発明の概要】
【発明が解決しようとする課題】
【０００５】
ＭＤＴログの報告方法及び移動体通信装置を提供する。
【課題を解決するための手段】
【０００６】
詳細な説明は、添付の図面を参照に、以下の実施の形態に与えられる。
【０００７】
ＭＤＴログの報告方法の実施の形態が開示される。本方法は、第１シグナリング無線ベアラ及び第２シグナリング無線ベアラによってサービスネットワークと通信する移動体通信装置に用いられる。前記方法は、移動体通信装置によって、サービスネットワークから第１シグナリング無線ベアラ上の要求メッセージを受信するステップ、移動体通信装置によって、要求メッセージがＭＤＴログを要求するかどうかを判定するステップ、及び要求メッセージがＭＤＴログを要求した時、移動体通信装置によって、第２シグナリング無線ベアラ上のＭＤＴログを含む応答メッセージをサービスネットワークに送信するステップを含む。
【０００８】
ＭＤＴログの報告方法のもう１つの実施の形態が開示される。本方法は、第１シグナリング無線ベアラ及び第２シグナリング無線ベアラによってサービスネットワークと通信する移動体通信装置に用いられる。前記方法は、移動体通信装置によって、サービスネットワークからＭＤＴログを要求する要求メッセージを受信するステップ、移動体通信装置によって、要求メッセージが第２シグナリング無線ベアラから受信されるかどうかを判定するステップ、及び要求メッセージが第２シグナリング無線ベアラから受信された時、移動体通信装置によって、第２シグナリング無線ベアラ上のＭＤＴログを含む応答メッセージをサービスネットワークに送信するステップを含む。
【０００９】
ＭＤＴログの報告方法の実施の形態が開示される。本方法は、ＬＴＥベースのネットワークに用いられ、シグナリング無線ベアラ１（ＳＲＢ１）及びシグナリング無線ベアラ２（ＳＲＢ２）によって、移動体通信装置からＭＤＴログを取り出す前記方法は、ＬＴＥベースのネットワークによって、ＭＤＴログの移動体通信装置に要求メッセージを送信するステップ、及びＬＴＥベースのネットワークによって、移動体通信装置からＳＲＢ２上で要求メッセージに対応するＭＤＴログを含む応答メッセージを受信するステップを含む。
【図面の簡単な説明】
【００１０】
本発明は、添付の図面と併せて後に続く詳細な説明と実施例を解釈することによって、より完全に理解されることができる。
【図１】本発明の実施の形態に基づく移動体通信環境を示すブロック図である。
【図２】従来のＭＤＴログの報告のメッセージシーケンス図である。
【図３】本発明の実施の形態に基づく移動体通信装置に用いるＭＤＴログの報告方法の流れ図である。
【図４】本発明の実施の形態に基づく移動体通信装置に用いるＭＤＴログの報告方法の流れ図である。
【図５】本発明の実施の形態に基づくＬＴＥベースのネットワークに用いるデータ取り出し方法の流れ図である。
【発明を実施するための形態】
【００１１】
この説明は、本発明の一般原理を例示する目的のためのもので本発明を限定するものではない。本発明の範囲は、添付の請求の範囲を参考にして決定される。３ＧＰＰ仕様書は、本発明の精神を教示するのを助けるのに用いられ、本発明を限定するものではない。
【００１２】
本発明の実施の形態に基づく移動体通信環境を示すブロック図である。移動体通信環境１は、発展型ユニバーサル地上波無線アクセスネットワーク（Ｅｖｏｌｖｅｄ  ＵＴＲＡＮ；ＥＵＴＲＡＮ）１２及びコアネットワーク１４を含むＬＴＥベースのシステムである。ＥＵＴＲＡＮ１２は、Ｘ２インターフェースによって互いに通信する、進化型ノード（Ｅｖｏｌｖｅｄ  Ｎｏｄｅ  Ｂｓ；ｅＮＢ）１２０ａ及び１２０ｂを含み、Ｓ１インターフェースによってコアネットワーク１４に接続される。各ｅＮＢは、複数のアンテナ（図示されていない）に接続され、特定領域をカバーする無線カバー領域、または特定の通信事業者の無線カバー範囲を提供する複数のアンテナ（図示されていない）に接続される。移動体通信環境１０と直接接続しているセルは、サービングセルと呼ばれる。
【００１３】
モバイル通信装置１０は、通信に用いられる任意の装置、例えば、携帯電話、ブロードバンドネットワークアダプタを備えるラップトップ型パソコン（ｌａｐｔｏｐ  ｄｅｔｅｒｍｉｎｅｒ）、またはｅＮＢ１２０ａまたは１２０ｂと通信可能な任意の他の装置である。モバイル通信装置１０は、制御モジュール１０２及び通信モジュール１００を含む。制御モジュール１０２は、デジタル信号処理、コーディング、及びデコーディングなどを含むベースバンド信号を実行するハードウェアを含み得る。通信モジュール１００は、アナログデジタル変換（ＡＤＣ）、デジタルアナログ変換（ＤＡＣ）、ゲイン調整、変調、復調などを実行するハードウェアを含み得る。通信モジュール１００は、ｅＮＢ１２０ｂからＲＦ信号を受信し、受信したＲＦ信号を制御モジュール１０２で処理されるベースバンド信号にダウンコンバートするか、または制御モジュール１０２からベースバンド信号を受信し、受信したベースバンド信号をアップリンク送信のためにＲＦ信号にアップコンバートする。無線周波数は、ＬＴＥ−ベースのシステムに用いられる９００ＭＨｚ、２１００ＭＨｚ、または２．６ＧＨｚ、または用いられる無線アクセス技術（ＲＡＴ）によって決まるその他の無線周波数であり得る。制御モジュール１０２は、通信モジュール１００及び他の機能的な構成要素（例えばマンマシーンインターフェース（ＭＭＩ）となる表示ユニット及び／またはキーパッド、アプリケーションまたは技術のプログラムコードを保存する記憶装置など）の動作を制御する。移動通信装置１０は、３ＧＰＰ  ＴＳ３６．３３１仕様書及びＬＴＥ技術の他の関連した仕様書に準拠したＵＥであり、本発明はこれを限定するものではない。
【００１４】
ＭＤＴは、２つのタイプ、即ち、即時型（Ｉｍｍｅｄｉａｔｅ）ＭＤＴ及び記録型（Ｌｏｇｇｅｄ）ＭＤＴを含む。即時型ＭＤＴは、接続（ＣＯＮＮＥＣＴＥＤ）状態で移動通信装置によって実行される、測定関連の機能であり、測定結果を報告条件（ｒｅｐｏｒｔｉｎｇ  ｃｏｎｄｉｔｉｏｎ）の時間で利用可能なｅＮＢ／無線ネットワーク制御装置（Ｒａｄｉｏ  Ｎｅｔｗｏｒｋ  Ｃｏｎｔｒｏｌｌｅｒ  ；ＲＮＣ）に報告する。記録型ＭＤＴは、設定条件が適合された時の時点でアイドル（ＩＤＬＥ）状態で移動通信装置によって実行される、測定関連の機能である。収集された測定（以下ＭＤＴ測定と呼ばれる）は、測定ログ（以下ＭＤＴログと呼ばれる）に保存され、後の時点でｅＮＢ／ＲＮＣに報告する。ＭＤＴログは、１つのＭＤＴ測定または複数のＭＤＴ測定を含み得る。
【００１５】
ＥＵＴＲＡＮ１２では、移動通信装置１０は、接続状態で記録型ＭＤＴ設定が設定され、アイドル状態で記録型ＭＤＴ測定を実行する。移動通信装置１０は、サービングセル及び隣接セルの測定結果であるＭＤＴ測定を収集し、ＭＤＴ測定をその記憶素子に保持する。無線リソース制御（ＲＲＣ）接続が移動通信装置１０及びＥＵＴＲＡＮ１２の間に確立された時、移動通信装置１０は、ＥＵＴＲＡＮ１２にＭＤＴログの有用性を知らせ、これは、後にＥＵＴＲＡＮ１２によって取り出されることもできる。ＲＲＣ接続は、３つのＳＲＢ、即ち、ＳＲＢ０、ＳＲＢ１、及びＳＲＢ２を制御層（ｃｏｎｔｒｏｌ  ｐｌａｎｅ）シグナリングメッセージ転送に提供する。ＳＲＢ０は、共通制御チャネル（ＣＣＣＨ）メッセージに用いられ、ＳＲＢ１及びＳＲＢ２は、個別制御チャネル（ＤＣＣＨ）メッセージに用いられる。ＳＲＢ１は、ＳＲＢ２より優先度が高く、セキュリティが起動された後にしか設定されない。
【００１６】
図２に示されるように、ＲＲＣ接続の確立中、移動通信装置１０は、ＲＲＣＣｏｎｎｅｃｔｉｏｎＳｅｔｕｐＣｏｍｐｌｅｔｅメッセージ（Ｓ２００）の１つのビットインジケータによってＭＤＴログの有用性を示す。全ての場合において、移動通信装置１０は、ロギング周期が終了しなくても指示（ｉｎｄｉｃａｔｉｏｎ）を含む。ＥＵＴＲＡＮ１２は、指示に基づき、ＭＤＴログを取り出すことを決めることができる。ＭＤＴログが予め規定されたロギング周期の完了前に取り出された場合、記録型ＭＤＴ設定に基づき、ＭＤＴログは、削除され得るが、記録型ＭＤＴ測定のロギングは、持続する。ＭＤＴログ報告は、オンデマンドのメカニズムによって誘発される。即ち、移動通信装置１０は、ＥＵＴＲＡＮ１２によって要求され、例えば、ＵＥＩｎｆｏｒｍａｔｉｏｎＲｅｑｕｅｓｔメッセージのＲＲＣシグナリングを介して、ＭＤＴログをそこに送信する（Ｓ２０２）。ＵＥＩｎｆｏｒｍａｔｉｏｎＲｅｑｕｅｓｔメッセージのＭＤＴログの要求に応じて、移動通信装置１０は、ＵＥＩｎｆｏｒｍａｔｉｏｎＲｅｑｕｅｓｔメッセージのＭＤＴログをサービングセルに戻す（Ｓ２０４）。報告は、記録型ＭＤＴ設定が指定されたセルでなく、異なるセルに生じることもある。ＭＤＴログは、サービングセル（測定量）、及び周波数内（ｉｎｔｒａ−ｆｒｅｑｕｅｎｃｙ）／周波数間（ｉｎｔｅｒ−ｆｒｅｑｕｅｎｃｙ）／インターラット（ｉｎｔｅｒ−ＲＡＴ）に対してアイドル状態で実行される利用可能なＵＥ測定、タイムスタンプ、並びに位置情報に関する測定結果を含む。位置情報は、移動通信装置１０の利用可能な位置情報に基づいている。よって、記録型ＭＤＴ測定は、測定が実行された時のサービングセルのＥＣＧＩ、測定が実行された時、且つ移動通信装置１０で利用可能な時のＧＮＳＳ位置情報、及び測定が実行された時、且つＧＮＳＳ位置情報が利用可能でない時の最大６つの周波数内隣接セルのＰＣＩ／ＰＳＣ及びＲＳＲＰ／ＣＰＩＣＨ  ＲＳＣＰを含むＲＦ指紋（ＲＦ  ｆｉｎｇｅｒｐｒｉｎｔ）情報を含む位置データを有する移動通信装置１０によって標示（ｔａｇ）される。
【００１７】
図３は、本発明の実施の形態に基づく移動体通信装置に用いるＭＤＴログの報告方法３の流れ図である。移動通信装置は、ＭＤＴログ要求及び他の情報要求を含んで、利用可能なＭＤＴログ及び他の情報（例えば、ランダムアクセスチャネル（ＲＡＣＨ）報告、または無線リンク障害（ＲＬＦ）報告）を要求し得るＵＥＩｎｆｏｒｍａｔｉｏｎＲｅｑｕｅｓｔメッセージを受信する（Ｓ３０２）。ＵＥＩｎｆｏｒｍａｔｉｏｎＲｅｑｕｅｓｔメッセージは、ＭＤＴログ要求パラメータがＴＲＵＥに設定された時、ＭＤＴログを要求し、ｒａｃｈ−ＲｅｐｏｒｔＲｅｑパラメータがＴＲＵＥに設定された時、ＲＡＣＨ報告を要求し、ｒｌｆ−ＲｅｐｏｒｔＲｅｑパラメータがＴＲＵＥに設定された時、ＲＬＦ報告を要求する。次いで、移動体通信装置は、ＵＥＩｎｆｏｒｍａｔｉｏｎＲｅｑｕｅｓｔメッセージがＭＤＴログを要求するかどうかを判定する（Ｓ３０４）。要求する場合、移動体通信装置は、ＭＤＴログを含むＵＥＩｎｆｏｒｍａｔｉｏｎＲｅｓｐｏｎｓｅメッセージをＳＲＢ２に送信する（Ｓ３０６）。ＵＥＩｎｆｏｒｍａｔｉｏｎＲｅｑｕｅｓｔメッセージが他の情報を更に要求する場合、ＵＥＩｎｆｏｒｍａｔｉｏｎＲｅｓｐｏｎｓｅメッセージは、他の情報を含む。要求しない場合、移動体通信装置は、ＭＤＴログ以外の他の要求された情報をＳＲＢ１に送信する（Ｓ３０８）。ＵＥＩｎｆｏｒｍａｔｉｏｎＲｅｓｐｏｎｓｅメッセージの送信の完了後、ＭＤＴログの報告方法３は完成し、終了する（Ｓ３１０）。
【００１８】
図４は、本発明の実施の形態に基づく移動体通信装置に用いるＭＤＴログの報告方法４の流れ図である。移動通信装置は、ＭＤＴログ要求を含むＵＥＩｎｆｏｒｍａｔｉｏｎＲｅｑｕｅｓｔメッセージを受信する（Ｓ４０２）。次いで、移動体通信装置は、ＵＥＩｎｆｏｒｍａｔｉｏｎＲｅｑｕｅｓｔメッセージがＳＲＢ２で受信されるかどうかを判定する（Ｓ４０４）。受信される場合、移動体通信装置は、ＭＤＴログを含むＵＥＩｎｆｏｒｍａｔｉｏｎＲｅｓｐｏｎｓｅメッセージをＳＲＢ２に送信する（Ｓ４０６）。受信されない場合、移動体通信装置は、ＭＤＴログをＳＲＢ１に送信する（Ｓ４０８）。ＵＥＩｎｆｏｒｍａｔｉｏｎＲｅｓｐｏｎｓｅメッセージの送信の完了後、ＭＤＴログの報告方法４は完成し、終了する（Ｓ４１０）。
【００１９】
図５は、本発明に基づくＬＴＥベースのネットワークに用いるデータ取り出し方法の流れ図である。サービスネットワークは、ＬＴＥベースのネットワークであり得る。ＬＴＥベースのネットワーク（例えばＥＵＴＲＡＮ）は、送信されるＵＥＩｎｆｏｒｍａｔｉｏｎＲｅｑｕｅｓｔメッセージを生成する（Ｓ５０２）。次いで、ＬＴＥベースのネットワークは、ＵＥＩｎｆｏｒｍａｔｉｏｎＲｅｑｕｅｓｔメッセージが移動体通信装置でＭＤＴログを要求するかどうかを判定する（Ｓ５０４）。要求する場合、ＬＴＥベースのネットワークは、ＵＥＩｎｆｏｒｍａｔｉｏｎＲｅｑｕｅｓｔメッセージをＳＲＢ２に送信し、ＭＤＴログを要求する（Ｓ５０６）。ＵＥＩｎｆｏｒｍａｔｉｏｎＲｅｑｕｅｓｔメッセージは、移動体通信装置で他の情報（例えばＲＡＣＨ報告、またはＲＬＦ報告）を要求してもよい。好ましくは、ＵＥＩｎｆｏｒｍａｔｉｏｎＲｅｑｕｅｓｔメッセージは、その中のＭＤＴ報告要求パラメータがＴＲＵＥに設定された時、ＭＤＴログを要求し、その中のｒａｃｈ−ＲｅｐｏｒｔＲｅｑパラメータがＴＲＵＥに設定された時、ＲＡＣＨ報告を要求し、その中のｒｌｆ−ＲｅｐｏｒｔＲｅｑパラメータがＴＲＵＥに設定された時、ＲＬＦ報告を要求する。次いで、ＬＴＥベースのネットワークは、ＳＲＢ２で移動体通信装置からＭＤＴログ（及び他の情報）を含むＵＥＩｎｆｏｒｍａｔｉｏｎＲｅｓｐｏｎｓｅメッセージを受信する。一方、ＵＥＩｎｆｏｒｍａｔｉｏｎＲｅｓｐｏｎｓｅメッセージがＭＤＴログを要求しない場合、ＬＴＥベースのネットワークは、ＵＥＩｎｆｏｒｍａｔｉｏｎＲｅｑｕｅｓｔメッセージをＳＲＢ１に送信する（Ｓ５０８）。次いで、ＬＴＥベースのネットワークは、ＳＲＢ１で移動体通信装置からのＵＥＩｎｆｏｒｍａｔｉｏｎＲｅｓｐｏｎｓｅメッセージを受信する（Ｓ５１２）。ＵＥＩｎｆｏｒｍａｔｉｏｎＲｅｓｐｏｎｓｅメッセージの受信の完了後、ＭＤＴログの報告方法５は完成し、終了する（Ｓ５１４）。
【００２０】
ここに用いられる“判定（ｄｅｔｅｒｍｉｎｉｎｇ）”という用語は、計算（ｃａｌｃｕｌａｔｉｎｇ）、演算（ｃｏｍｐｕｔｉｎｇ）、処理（ｐｒｏｃｅｓｓｉｎｇ）、取得（ｄｅｒｉｖｉｎｇ）、調査（ｉｎｖｅｓｔｉｇａｔｉｎｇ）、検索（ｌｏｏｋｉｎｇ  ｕｐ）（例えば、表、データベース、または他のデータ構造の検索）、確定（ａｓｃｅｒｔａｉｎｉｎｇ）などを含む。また、“判定（ｄｅｔｅｒｍｉｎｉｎｇ）”は、解決（ｒｅｓｏｌｖｉｎｇ）、選択（ｓｅｌｅｃｔｉｎｇ）、選出（ｃｈｏｏｓｉｎｇ）、確立などを含んでもよい。
【００２１】
ここで開示された態様に関連して記述される種々の例示の論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、個別のゲートまたはトランジスタロジック、個別のハードウェア構成機器、またはここに記述された機能を行うことを目指した任意のそれらの組み合わせを具備してもよい。汎用プロセッサはマイクロプロセッサでもよいが、代わりに、プロセッサは任意の商用のプロセッサ、コントローラ、マイクロコントローラまたは状態機械でもよい。
【００２２】
ここに述べられた種々のロジカルブロック、モジュール、及び回路の動作及び機能は、回路ハードウェア、またはプロセッサによってアクセスされ、実行され得る埋め込みソフトウェアコードに実装され得る。
【００２３】
この発明は実施例の方法及び好ましい実施の形態の観点で記述されているが、この発明がこれらの実施の形態を限定するものではないことは理解される。逆に、種々の変更および同様の配置（当業者に認識されるように）をカバーするものである。よって、添付の請求の範囲は、最も広義な解釈が与えられ、このような変更および同様のアレンジを含むべきである。
【符号の説明】
【００２４】
１  移動体通信環境
３  ＭＤＴログの報告方法
４  ＭＤＴログの報告方法
５  ＭＤＴログの報告方法
１０  移動体通信環境
１２  発展型ユニバーサル地上波無線アクセスネットワーク（ＥＵＴＲＡＮ）
１４  コアネットワーク
１００  通信モジュール
１０２  制御モジュール
１２０ａ、１２０ｂ  進化型ノード（Ｅｖｏｌｖｅｄ  Ｎｏｄｅ  Ｂｓ；ｅＮＢ）
【図１】
0005341143.tif 000002
【図２】
0005341143.tif 000003
【図３】
0005341143.tif 000004
【図４】
0005341143.tif 000005
【図５】
0005341143.tif 000006